(57)【要約】【課題】簡便な構成で消灯時と点灯時の意匠性を向上させることが可能な装飾照明装置を提供する。【解決手段】照射方向に光を出射する発光ユニット部（１５）と、着色パターンと光透過パターンが混在した半透過部（１６）と、表示パターンの開口部（１８）が形成された意匠部（１７）を備え、半透過部（１６）および意匠部（１７）は発光ユニット部（１５）の照射方向に配置されている装飾照明装置（１０）。【選択図】図１
2018006026.tif 000002
【特許請求の範囲】
【請求項１】
照射方向に光を出射する発光ユニット部と、
着色パターンと光透過パターンが混在した半透過部と、
表示パターンの開口部が形成された意匠部を備え、
前記半透過部および前記意匠部は、前記発光ユニット部の前記照射方向に配置されていることを特徴とする装飾照明装置。
【請求項２】
請求項１に記載の装飾照明装置であって、
前記半透過部は、遮光性部材に複数の貫通孔が形成されたパンチングシートであり、前記発光ユニット部と前記意匠部の間に配置されていることを特徴とする装飾照明装置。
【請求項３】
請求項１に記載の装飾照明装置であって、
前記半透過部は、光透過性部材に前記着色パターンが印刷されていることを特徴とする装飾照明装置。
【請求項４】
請求項３に記載の装飾照明装置であって、
前記半透過部は、前記意匠部の表面に前記着色パターンが印刷されたものであることを特徴とする装飾照明装置。
【請求項５】
請求項３または４に記載の装飾照明装置であって、
前記着色パターンは、ドット状または網目状であることを特徴とする装飾照明装置。
【発明の詳細な説明】
【技術分野】
【０００１】
本発明は、装飾照明装置に関し、特に背面側の光源から照射される光によって意匠を表現する装飾照明装置に関する。
【背景技術】
【０００２】
車両用灯具などの照明器具においても、光源として発光ダイオード（ＬＥＤ：Ｌｉｇｈｔ  Ｅｍｉｔｔｉｎｇ  Ｄｉｏｄｅ）を用いるものが一般的になってきた。このような灯具としては、対象物に光を照射して照明として用いるものだけではなく、光出射領域の形状自体に意匠性を持たせた装飾照明装置も提案されている（特許文献１）。このような従来の装飾照明装置では、光源であるＬＥＤを背面側に配置し、点灯時には導光板の後方から光を照射して導光板の外形に応じた意匠性の高い光照射を実現している。
【先行技術文献】
【特許文献】
【０００３】
【特許文献１】特開２０１０−０８３３８３号公報
【発明の概要】
【発明が解決しようとする課題】
【０００４】
しかし従来の装飾照明装置では、点灯時に導光板の背後から光を照射するため、導光板の外縁形状が一番明るく光るような表現に優れているが、平面的に均等に光る意匠の表現をするためには導光板の設計が複雑になるという問題があった。
【０００５】
図８は、従来の装飾照明装置１の消灯時における外観を示す模式平面図であり、図８（ａ）は文字部分を光らせる場合を示し、図８（ｂ）は文字周囲を光らせる場合を示している。従来の装飾照明装置１では、光らせる領域を導光板２で形成してその周囲を非点灯領域３とし、点灯時には導光板２の裏面側に設けられた光源から光を照射して導光板２を光らせる。しかし、意匠表現を担うのは装飾照明装置１の最前面に配置されている導光板２であるため、日光などの外部光が存在する環境下では消灯時にも白色または透明な導光板２を視認可能であり、消灯時には黒表示を行い点灯時には均等な平面表示をする意匠の表現をすることが難しい。したがって、消灯時と点灯時に表現できる意匠に大きな違いは無く、多様な意匠表現を実現するためには構成が複雑化しがちであった。
【０００６】
そこで本発明は、簡便な構成で消灯時と点灯時の意匠性を向上させることが可能な装飾照明装置を提供することを課題とする。
【課題を解決するための手段】
【０００７】
上記課題を解決するために本発明の装飾照明装置は、照射方向に光を出射する発光ユニット部と、着色パターンと光透過パターンが混在した半透過部と、表示パターンの開口部が形成された意匠部を備え、前記半透過部および前記意匠部は、前記発光ユニット部の前記照射方向に配置されていることを特徴とする。
【０００８】
このような本発明の装飾照明装置では、半透過部と意匠部が発光ユニット部の照射方向に配置され、意匠部に形成された表示パターンの開口部と半透過部とを透過した光を照射するため、簡便な構成で消灯時と点灯時の意匠性を向上させることが可能となる。
【０００９】
また本発明の一態様では、前記半透過部は、遮光性部材に複数の貫通孔が形成されたパンチングシートであり、前記発光ユニット部と前記意匠部の間に配置されている。
【００１０】
また本発明の一態様では、前記半透過部は、光透過性部材に前記着色パターンが印刷されている。
【００１１】
また本発明の一態様では、前記半透過部は、前記意匠部の表面に前記着色パターンが印刷されたものである。
【００１２】
また本発明の一態様では、前記着色パターンは、ドット状または網目状である。
【発明の効果】
【００１３】
本発明では、簡便な構成で消灯時と点灯時の意匠性を向上させることが可能な装飾照明装置を提供することができる。
【図面の簡単な説明】
【００１４】
【図１】第１実施形態における装飾照明装置１０の概要を示す模式図であり、図１（ａ）は模式断面図、図１（ｂ）は外観斜視図である。
【図２】装飾照明装置１０の半透過部１６を示す模式図であり、図２（ａ）〜（ｃ）は半透過部１６の構成例を示す模式斜視図である。
【図３】装飾照明装置１０の点灯時を示す図面代用写真である。
【図４】第３実施形態における装飾照明装置２０の概要を示す模式図であり、図４（ａ）は模式断面図、図４（ｂ）は外観斜視図である。
【図５】装飾照明装置２０の意匠部２７を示す模式図であり、図５（ａ）（ｂ）は意匠部２７の構成例を示す模式平面図である。
【図６】装飾照明装置２０の点灯時を示す外観写真であり、図６（ａ）（ｂ）はそれぞれ図５（ａ）（ｂ）の意匠部２７を用いた場合の図面代用写真である。
【図７】装飾照明装置２０の消灯時を示す外観写真であり、図７（ａ）（ｂ）はそれぞれ図５（ａ）（ｂ）の意匠部２７を用いた場合の図面代用写真である。
【図８】従来の装飾照明装置１の消灯時における外観を示す模式平面図であり、図８（ａ）は文字部分を光らせる場合を示し、図８（ｂ）は文字周囲を光らせる場合を示している。
【発明を実施するための形態】
【００１５】
（第１実施形態）
以下、本発明の第１実施形態について、図面を参照して詳細に説明する。各図面に示される同一または同等の構成要素、部材、処理には、同一の符号を付すものとし、適宜重複した説明は省略する。図１は、本実施形態における装飾照明装置１０の概要を示す模式図であり、図１（ａ）は模式断面図、図１（ｂ）は外観斜視図である。
【００１６】
装飾照明装置１０は、ハウジング１１と、搭載基板１２と発光素子１３と光拡散部材１４を含む発光ユニット部１５と、半透過部１６と、意匠部１７を備えており、意匠部１７には表示パターンである開口部１８が形成されている。装飾照明装置１０では、電力と信号の供給を受けて発光ユニット部１５が発光し、発光ユニット部１５の光照射方向に配置された半透過部１６と意匠部１７の開口部１８を光が透過する。これにより、装飾照明装置１０の外部から開口部１８の表示パターンに応じた光照射が視認される。
【００１７】
ハウジング１１は、底面と側面と天面を有する略箱状の部材であり、その内部に発光ユニット部１５と半透過部１６を収容し、天面に意匠部１７が設けられている。ここではハウジング１１の各面を同一部材で構成する例を示したが、複数の部材を組み合わせて構成してもよい。半透過部１６と開口部１８を透過した光だけを外部に照射するために、ハウジング１１は発光ユニット部１５からの光を遮蔽する材料で構成されることが好ましい。
【００１８】
搭載基板１２は、表面に導電パターンが形成され、複数の発光素子１３を搭載して回路を構成するための回路基板である。搭載基板１２に形成された導電パターンは外部と電気的に接続されており、外部からの電力が導電パターンを介して発光素子１３に供給されることで発光素子１３が発光する。搭載基板１２を構成する材料としては、通常のプリント配線基板として用いられるものであればよく、ガラスエポキシ樹脂などの絶縁材料や、金属板の表裏面に絶縁膜を形成したもの、フレキシブル基板などであってもよい。
【００１９】
発光素子１３は、搭載基板１２の表面に搭載されて電流供給により発光する素子であり、発光ダイオードや有機ＥＬ素子、半導体レーザ素子などが挙げられる。発光素子１３が発光する光としては、青色や赤色などの単色光を発光するものでもよく、一次光で波長変換部材を励起して白色を発光するものであってもよい。
【００２０】
光拡散部材１４は、複数の発光素子１３を覆うように設けられて発光素子１３からの光が入射し、面内で均一な光分布となるように内部で光を拡散させる略板状の部材である。図１に示した例では、発光素子１３からの光が下面から入射して上面から出射させるため、光を透過する材料中に光を散乱する微粒子を分散した拡散板を用いている。また、発光素子１３からの一次光を蛍光体で波長変換しつつ散乱させる波長変換部材を光拡散部材１４として用いてもよい。
【００２１】
発光ユニット部１５は、電力と信号の供給を受けて発光し、半透過部１６が配置された照射方向に光を出射する光源である。図１に示した例では搭載基板１２の表面に発光素子１３が複数搭載され、光拡散部材１４の下面から上面に光を散乱透過する構成を示したが、構成は限定されない。例えば、発光素子１３からの光を導光板の側面から入射させて、導光板に設けられた光散乱構造で光を散乱して、光出射面から光を均一に取り出す構造であってもよい。
【００２２】
半透過部１６は、光を遮蔽する着色パターンと光を透過する光透過パターンが混在して設けられ、発光ユニット部１５の光照射方向に配置されて、発光ユニット部１５からの光を部分的に透過する部材である。また、着色パターンは発光ユニット部１５からの光を部分的に遮蔽するとともに、装飾照明装置１０の外部からの光を反射または吸収し、着色パターンに応じた色を外部から視認可能である。図１では半透過部１６の形状として略板状のものを示しているが、部分的に光を透過する機能と外部から視認可能な機能を実現できれば立体的な構造を有していてもよい。半透過部１６の構成例については後述する。
【００２３】
意匠部１７は、発光ユニット部１５の光照射方向に配置されて、開口部１８が形成された領域では光を透過し、他の領域では光を遮蔽する部材である。開口部１８以外の領域で光を遮蔽するため、意匠部１７を遮光性の材料で構成することが好ましいが、透光性の材料に遮光性の印刷を施した構成であってもよい。また、図１では意匠部１７を平板状の部材とした例を示したが、所望の意匠を表現することができれば立体的な構造を有していてもよい。
【００２４】
開口部１８は、意匠部１７に設けられた表示パターンであり、発光ユニット部１５からの光を透過して外部に照射する領域である。図１では遮光性の材料で構成された意匠部１７を貫通する孔領域を設けて開口部１８とする例を示したが、貫通した孔領域に透光性材料を充填することや、透光性の板状部材を貼り合わせるなどして孔を塞ぐ構成としてもよい。また、透光性の材料で構成された意匠部１７に印刷を施して光を透過する開口部１８を構成してもよい。
【００２５】
図２は。装飾照明装置１０の半透過部１６を示す模式図であり、図２（ａ）〜（ｃ）は半透過部１６の構成例を示す模式斜視図である。図２（ａ）に示した半透過部１６は、遮光性材料で構成された平板状の遮光性部材１６ａに複数の貫通孔１６ｂが形成されたパンチングシートである。図２（ｂ）に示した半透過部１６は、透光性材料で構成された平板状の光透過性部材１６ｃにドット状の着色パターン１６ｄが印刷されている。図２（ｃ）に示した半透過部１６は、透光性材料で構成された平板状の光透過性部材１６ｃに網目状の着色パターン１６ｄが印刷されてドット状の開口１６ｅが形成されている。
【００２６】
半透過部１６に形成される貫通孔１６ｂ、着色パターン１６ｄのサイズは限定されないが、発光ユニット部１５からの光を部分的に透過するとともに、外部から着色パターン１６ｄの着色を認識できる程度のサイズであることが好ましい。例えば、貫通孔１６ｂやドット状の開口１６ｅとして直径０．５ｍｍの円形のものを１０ｍｍ×１０ｍｍの領域に１６８個形成する場合には、光を透過する領域の面積が３２．９８ｍｍ2となり、半透過部１６は約３３％の光を透過し、約６７％の面積が光を反射または吸収する。ここでは、ドット状や網目状の着色パターン１６ｄを示したが、格子状や縞状などの様々なパターンの着色パターンと光透過パターンとが混在するものであってよい。
【００２７】
半透過部１６における着色パターン１６ｄの色は限定されないが、例えば黒色や銀色を用いると、消灯時に外部から視認される色は黒色や銀色であり、点灯時に発光ユニット部１５から照射される光との違いによって、意匠性が向上する。また、着色パターン１６ｄの色と発光ユニット部１５の発光色とを類似の色とした場合には、消灯時に外部から視認される表示パターンと点灯時に光る表示パターンの印象を同じにすることができ、意匠性が向上する。
【００２８】
また、半透過部１６の着色パターン１６ｄと意匠部１７とを同一色とすると、消灯時には開口部１８の表示パターンを目立たなくして、点灯時にのみ開口部１８の表示パターンが意匠部１７から浮き上がるような表示をすることができ、意匠性が向上する。
【００２９】
図３は、装飾照明装置１０の点灯時を示す外観写真である。図３に示すように、本実施形態の装飾照明装置１０では、意匠部１７に形成された開口部１８で表示パターンを表現しているので、点灯時には半透過部１６を透過してきた光が開口部１８の領域内で均一に分布して外部に照射される。消灯時には、開口部１８を介して半透過部１６の遮光性部材１６ａや着色パターン１６ｄの色が外光によって視認可能となり、表示パターンである開口部１８に応じた意匠を表示する。これにより、簡便な構成で消灯時と点灯時のいずれでも、開口部１８の領域で均一な色分布の表示をして意匠性を向上させることが可能となる。
【００３０】
（第２実施形態）
次に本発明の第２実施形態について説明する。第１実施形態と重複する部分についての説明は省略する。第１実施形態の図１では、装飾照明装置１０の内部構造として、発光ユニット部１５の光照射方向に半透過部１６と意匠部１７を順に配置した例を示したが、半透過部１６と意匠部１７の配置を入れ替えた構成としてもよい。
【００３１】
この場合、発光ユニット部１５からの光は意匠部１７の開口部１８を透過した後に半透過部１６を透過して装飾照明装置１０の外部に照射される。したがって、消灯時には装飾照明装置１０の外部からは半透過部１６の着色パターン１６ｄが視認され、均一に着色された板状部材として認識される。点灯時には、表示パターンである開口部１８の形状に応じた光が半透過部１６を介して照射され、表示パターンの発光領域が装飾照明装置１０の外部から視認される。
【００３２】
着色パターン１６ｄとして例えば黒色や銀色を用いると、消灯時に外部から視認される色は黒色や銀色であり、点灯時に発光ユニット部１５から照射される光との違いによって、意匠性が向上する。また、消灯時には開口部１８の表示パターンが目立たず、点灯時にのみ開口部１８の表示パターンが意匠部１７から浮き上がるような表示にすることができ、意匠性が向上する。
【００３３】
本実施形態でも、簡便な構成で消灯時と点灯時のいずれでも、開口部１８の領域で均一な色分布の表示をして意匠性を向上させることが可能となる。
【００３４】
（第３実施形態）
次に本発明の第３実施形態について、図面を参照して詳細に説明する。第１実施形態と重複する部分についての説明は省略する。図４は、本実施形態における装飾照明装置２０の概要を示す模式図であり、図４（ａ）は模式断面図、図４（ｂ）は外観斜視図である。
【００３５】
装飾照明装置２０は、ハウジング２１と、搭載基板２２と発光素子２３と光拡散部材２４を含む発光ユニット部２５と、意匠部２７を備えており、意匠部２７には表示パターンである開口部２８が形成されている。また、開口部２８の領域内には複数のドット状の着色パターン２８ｄが形成されており、着色パターン２８ｄと光透過パターンが混在した半透過部を構成している。装飾照明装置２０では、電力と信号の供給を受けて発光ユニット部２５が発光し、発光ユニット部２５の光照射方向に配置された意匠部２７の開口部２８を光が透過する。これにより、装飾照明装置２０の外部から開口部２８の表示パターンに応じた光照射が視認される。
【００３６】
本実施形態の装飾照明装置２０は、意匠部２７の表面に開口部２８と着色パターン２８ｄを形成して意匠部２７と半透過部とが一体に構成されている点が第１実施形態と異なっている。ここでは開口部２８と着色パターン２８ｄとを意匠部２７の表面に形成する例を示したが、意匠部２７の裏面に形成するとしてもよく、透光性材料と遮光性材料の積層構造で意匠部２７の内部に形成するとしてもよい。
【００３７】
意匠部２７は、発光ユニット部２５の光照射方向に配置されて、開口部２８が形成された領域では光を透過し、他の領域では光を遮蔽する部材である。本実施形態では意匠部２７は、開口部２８以外の領域で光を遮蔽するとともに、開口部２８の領域内にドット状の着色パターン２８ｄを設けるため、透光性の材料に遮光性の印刷を施した構成とすることが好ましい。
【００３８】
開口部２８は、意匠部２７に設けられた表示パターンであり、開口部２８の領域内には複数の着色パターン２８ｄが形成されているため、発光ユニット部２５からの光を部分的に透過して外部に照射する領域である。これにより、開口部２８は発光ユニット部２５からの光を部分的に遮蔽するとともに、装飾照明装置２０の外部からの光を反射または吸収し、着色パターン２８ｄに応じた色を外部から視認可能である。
【００３９】
本実施形態では意匠部２７を透光性の材料で構成し、意匠部２７の表面に印刷で着色パターン２８ｄを形成して半透過部を構成している。図５は、装飾照明装置２０の意匠部２７を示す模式図であり、図５（ａ）（ｂ）は意匠部２７の構成例を示す模式平面図である。図５（ａ）は、文字部分を意匠部２７の表示パターンとして表示する例を示し、図５（ｂ）は文字部分の周囲を意匠部２７の表示パターンとして表示する例を示している。
【００４０】
図６は、装飾照明装置２０の点灯時を示す外観写真であり、図６（ａ）（ｂ）はそれぞれ図５（ａ）（ｂ）の意匠部２７を用いた場合の外観写真である。図７は、装飾照明装置２０の消灯時を示す外観写真であり、図７（ａ）（ｂ）はそれぞれ図５（ａ）（ｂ）の意匠部２７を用いた場合の外観写真である。
【００４１】
本実施形態の装飾照明装置２０では、意匠部２７の表面に印刷で着色パターン２８ｄと光透過パターンが混在した半透過部を構成していることから、図６（ａ）（ｂ）に示すように、点灯時には半透過部の表示パターンが外部に照射される。また、図７（ａ）（ｂ）に示すように、消灯時には印刷された着色パターン２８ｄの全体が視認されるため、着色パターン２８ｄの色が全体を覆う表示となる。これにより、装飾照明装置２０では簡便な構成で消灯時と点灯時のいずれでも、開口部２８の領域で均一な色分布の表示をして意匠性を向上させることが可能となる。
【００４２】
図６（ａ）（ｂ）および図７（ａ）（ｂ）では、外部光が表面で反射した様子が映り込んでいるが、通常時における装飾照明装置２０の使用では問題にならない。また、拡大して撮像しているため図７（ａ）（ｂ）では意匠部２７と着色パターン２８ｄの構造が映っているが、通常の使用時には外光の反射やコントラストによって意匠部２７と着色パターン２８ｄの構造は視認できず、全体が同一色の表示となる。このように、本実施形態の装飾照明装置２０では、図８（ａ）（ｂ）に示した従来の装飾照明装置において非点灯時にも導光板２が視認されてしまう問題を解決できる。
【００４３】
また、図６（ａ）（ｂ）に示したように、本実施形態では透光性材料で構成した意匠部２７の表面に印刷で着色パターン２８ｄを形成しているので、「ｏ」の字の中抜き部分も表現することができる。これにより、半透過部と意匠部２７とを一体として装飾照明装置２０の構成を簡略化でき、様々な意匠の表示パターンを簡便な構成で表現することができる。
【００４４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００４５】
１０，２０…装飾照明装置
１１，２１…ハウジング
１２，２２…搭載基板
１３，２３…発光素子
１４，２４…光拡散部材
１５，２５…発光ユニット部
１６…半透過部
１６ａ…遮光性部材
１６ｂ…貫通孔
１６ｃ…光透過性部材
１６ｄ…着色パターン
１６ｅ…開口
１７，２７…意匠部
１８，２８…開口部
２８ｄ…着色パターン
【図１】
2018006026.tif 000003
【図２】
2018006026.tif 000004
【図３】
2018006026.tif 000005
【図４】
2018006026.tif 000006
【図５】
2018006026.tif 000007
【図６】
2018006026.tif 000008
【図７】
2018006026.tif 000009
【図８】
2018006026.tif 000010